(57)【要約】【課題】従来のファンモータユニット取付構造では、モータ自体の固有する振動は、モータと直接接触しているファン、モータ固定部に振動が直接伝わる構造となっているため、振動が浴室乾燥機全体に共振し、浴室内全体に広がってしまい、浴室全体に振動が響き渡ってしまう問題があった。【解決手段】モータから発生している振動を防振部材で間接的にファンおよびモータ固定部に伝え、振動を極力発生源のモータ部分で食い止め、これらの伝達ないし共鳴を防止し、振動および騒音を抑える。【選択図】　図２
2004073330.tif 000002
【特許請求の範囲】
【請求項１】
空気を送風するためのファンと、該ファンを駆動するモータと、該モータを固定するモータ固定部材とからなるファンモータユニットと、室内の空気を吸い込んで再度室内へ吐出する吹出口と、室内の空気を吸い込んで屋外へ排出する排気口とを備えた浴室乾燥機において、前記ファンモータユニットのファンをモータの軸に取付けるファン取付部に、防振部材を配設したことを特徴とする浴室乾燥機。
【請求項２】
前記防振部材は、前記ファンのモータ軸挿入口部、前記ファンのモータ軸出口部、又は前記ファンのモータ軸挿入穴内周面の少なくとも１ヶ所に設けることを特徴とする請求項１記載の浴室乾燥機。
【請求項３】
空気を送風するためのファンと前記ファンを駆動するモータと前記モータを固定するモータ固定部材とからなるファンモータユニットと、室内の空気を吸い込んで再度室内へ吐出する吹出口と、室内の空気を吸い込んで屋外へ排出する排気口とを備えた浴室乾燥機において、前記モータ固定部材は、第１のモータ固定部材と第２のモータ固定部材とからなり、前記モータの本体を防振部材を介在させて前記第１のモータ固定部材と第２のモータ固定部材とで挟み込み固定することを特徴とする浴室乾燥機。
【請求項４】
空気を送風するためのファンと、該ファンを駆動するモータと、該モータを固定するモータ固定部材とからなるファンモータユニットと、室内の空気を吸い込んで再度室内へ吐出する吹出口と、室内の空気を吸い込んで屋外へ排出する排気口とを備えた浴室乾燥機において、
前記ファンモータユニットのファンをモータの軸に取付けるファン取付部に、防振部材を配設し、且つ、モータの本体を防振部材を介在させて、第１のモータ固定部材と第２のモータ固定部材とからなる前記モータ固定部材で挟み込んで固定してなることを特徴とする浴室乾燥機。
【請求項５】
前記防振部材は、防振部材の潰し代を一定に保つように前記ファン取付部に介在させて固定してなることを特徴とする請求項１、請求項２又は請求項４のいずれかに記載の浴室乾燥機。
【発明の詳細な説明】
【０００１】
【発明の属する技術分野】
本発明は、送風手段により、室内の空気を室外へ排気したり、室内の空気を再度室内へ吐出し、または、室外へ排気しながら室内の空気を再度室内へ吐出する浴室乾燥機に関する。
【０００２】
【従来の技術】
従来、浴室等に設置されている浴室乾燥機は、空気を送風するためのファンとこのファンを駆動するモータと前記モータを固定するモータ固定部材とからなるファンモータユニットと、室内の空気を吸い込んで再度室内へ吐出する吹出口と、室内の空気を吸い込んで屋外へ排出する排気口とを備えたものであり、浴室等のの天井面または浴室の壁に設置されている。
ファンモータユニットは、ファンはモータの軸にナットでファンに直接固定され、モータはモータ本体周縁に設けられたフランジを介してモータ固定部材にネジで直接固定されている。
【０００３】
【発明が解決しようとする課題】
従来のファンモータユニット取付構造では、ファンはモータの軸にナット等で直接に固定され、モータはモータ本体周縁に設けられたフランジを介してモータ固定部材にネジで直接固定されているため、モータ自体が固有する振動はファンおよびモータ固定部材に直接伝わり、例えば浴室に配置された乾燥機であれば、振動が浴室乾燥機全体に共振し、浴室内全体に広がってしまい、浴室全体に振動が響き渡ってしまうと言う問題があった。
【０００４】
本発明は、上記課題を解決するためになされたものであり、本発明の目的は、モータから発生している振動を、間接的にファンおよびモータ固定部に伝えようとするもので、発生源のモータ部分で振動を極力食い止め、振動の伝達ないし共鳴を防止することを目的とし、振動および騒音を抑えることが出来る浴室乾燥機を提供することを目的としている。
【０００５】
【課題を解決するための手段及びその作用・効果】
上記目的を達成するために、本発明は、空気を送風するためのファンと、該ファンを駆動するモータと、該モータを固定するモータ固定部材とからなるファンモータユニットと、室内の空気を吸い込んで再度室内へ吐出する吹出口と、室内の空気を吸い込んで屋外へ排出する排気口とを備えた浴室乾燥機において、前記ファンモータユニットのファンをモータの軸に取付けるファン取付部に、防振部材を配設したものである。
これにより、モータ自体から発生する振動音がモータ軸に伝達され、ファンの軸部を通じてファン全体に伝達していた振動音がフアン自体の回転音と共鳴することがなくなり、騒音防止を図ることができる。
【０００６】
また、前記防振部材は、前記ファンの前記モータ軸挿入部面及び／又は、前記ファンの前記モータ軸出口面及び／又は、前記ファンの前記モータ軸挿入穴内面に設けるたものである。
これにより、モータの軸形状及び／又は、ファンのモータ軸挿入形状に関わらず防振部材を連結させ介在させることが出来、振動及び騒音の度合いによって各々の箇所に防振部材を介在することが出来るため、要求性能に応じて最適な箇所に防振部材を配設することで、簡単な構成で効率的な防振、防音効果を得ることができる。
【０００７】
また、空気を送風するためのファンと前記ファンを駆動するモータと前記モータを固定するモータ固定部材とからなるファンモータユニットと、室内の空気を吸い込んで再度室内へ吐出する吹出口と、室内の空気を吸い込んで屋外へ排出する排気口とを備えた浴室乾燥機において、前記モータ固定部材は、モータ固定部材１とモータ固定部材２とからなり、前記モータの本体を防振部材を介在させて第１のモータ固定部材と第２のモータ固定部材とで挟み込み固定するものである。
これにより、モータ固定部がモータと直接接触することなく、防振部材で接触するようになるため、モータ自体から発生する振動とファンの振動を防振部材の部分で吸収し、モータ固定部材から本体全体への振動の伝達、共鳴を防止することができ、騒音防止が図れる。
【０００８】
また、空気を送風するためのファンと、該ファンを駆動するモータと、該モータを固定するモータ固定部材とからなるファンモータユニットと、室内の空気を吸い込んで再度室内へ吐出する吹出口と、室内の空気を吸い込んで屋外へ排出する排気口とを備えた浴室乾燥機において、前記ファンモータユニットのファンをモータの軸に取付けるファン取付部に、防振部材を配設し、且つ、前記モータの本体を防振部材を介在させて前記モータ固定部材１とモータ固定部材２とで挟み込み固定してなるものである。
これにより、ファンモータユニットは、完全に防振部材によってモータ自体から発生する振動及びファンから発生する振動を相互に防止することができ、以って更に騒音を防止することができる。
【０００９】
また、防振部材は、防振部材の潰し代を一定に保つようにファン取付部に介在させて固定してなるものである。
これにより、防振部材の効果が最大限に生かせるような潰し代の厚みを保持でき、最適な弾力性を有するところで確実な固定ができるため、持続的な防振、防音が図れ、更にファンとモータの取付け部に発生する取付けガタ等も防止できる。
【００１０】
【発明の実施の形態】
以下に本発明の実施の形態を添付図面に基づいて説明する。
【００１１】
図１は、本発明の一実施形態に係る浴室乾燥機の全体構成図である。
図１で示すように、本体Ａは浴室の天井面に配設されている。
本体Ａは、浴室内の空気を吸い込むための吸込口１と、再度浴室内へ吐出する吹出口２と、浴室内の空気を吸い込んで屋外へ排出する排気口３と、本体Ａの排気口を開閉させるダンパー５と、吹出口２近傍に配設された室内を暖めるためのヒータ６と、吹出口２及び排気口３に空気を送風するためのファン１０と、ファン１０に中心軸で連結されたモータ８とで構成されたファンモータユニット（送風機）Ｂとからなる略箱体状のものである。
また、本体Ａを浴室内に固定するための取付け用フランジ部４が本体Ａの側面部に形成され、本体Ａはこの取付け用フランジ部４を介して天井にネジ止め固定されている。
【００１２】
本実施例では、本体Ａは浴室内の天井面に配設固定されているが、これに限定されず天井面に接する壁面などに設置しても良い。
また、本体Ａには、本体Ａを室内側から隠蔽するための化粧カバー７を設けている。
本体Ａの排気口を開閉させるダンパー５は、吹出口２を塞ぐ位置から排気口３を塞ぐ位置まで移動可能としており、吹出口または排気口の任意の方向へ空気を分流させることができる。
本体Ａの吹出口２近傍にヒータ６を設けることにより、温風効果を発揮することが出来る。
【００１３】
図１で示すように、ファンモータユニットＢは、吹出口２及び排気口３に空気を送風するためのファン１０と、ファン１０に中心軸で連結させて、ファン１０を回転させるためのモータ８とで構成されており、本体Ａの吸込口１の上方へ配設されている。
本体Ａのファン１０が配設される部分には、モータ８を嵌合させる凹部ａ、ａ’が形成されており、凹部ａはモータの外周部と凹部ａ’はモータ軸部を載置させて受ける２段階に陥没させた階段状としている。
【００１４】
モータ８は、中心にモータ軸９を有する略円錐状のもので、底面および上面部からモータ軸９の中央周辺であるモータ軸部を突出させた凸部ｂ、ｂ’を有する形状をしている。モータ軸９はこの凸部の下方側の凸部ｂ’から先端を更に突出延伸させフアン１０を連結させている。
【００１５】
図２は、本発明の一実施形態に係るファンモータユニットの拡大構成図である。
モータ軸９とファン１０の連結部には、防振部材１１を、モータ軸９の中心部に形成させたフアン１０を挿入するモータ軸挿入口部１３と、このモータ軸挿入口部１３を塞いで挿入を規制するモータ軸９周縁に段差をつけて設けた座面１２との間に介在させている。
また、防振部材１４をファン１０のモータ軸挿入口部１３の内周面１５と前記モータ軸９との間に介在させている。
更に、防振部材１６をモータ軸出口部１７と、モータ軸９とファン１０を固定させるためのファン固定部材１８の間に介在させている。
前記ファン固定部材１８は、２つの六角ナットよりなっており、モータ軸９下端に形成されたネジ山に嵌合することでフアン１０をモータ軸９に締結固定される。また、防振部材１１・１６の座面には、防振材の捲れ防止のために、モータ軸挿入口部１３と防振部材１１との間、六角ナットと防止部材１６との間、また防止部材１６の上部に座金１９が設けられている。
また、モータ固定部材２２及び／又はモータ固定部材２３は、本体Ａの一部で構成されても良い。これにより、モータ固定部材と本体を一体にすることにより、浴室乾燥機の部材を削減することが出来る。
【００１６】
尚、前記防振部材１１・１４・１６は、上記全ての箇所に配設させる必要はなく、モータ軸形状、ファンのモータ軸挿入形状、評価による振動及び騒音の度合いによって各々の箇所に調整して介在させても良い。
【００１７】
また、前記モータ８は、モータ本体の上下に防振部材２０、防振部材２１を介在させモータ固定部材２２とモータ固定部材２３とで挟み込み、前記防振部材２０と前記防振部材２１の潰し代を設けて軸方向２４方向で圧縮させ、ネジ２６にて前記モータ固定部材２２と前記モータ固定部材２３を締結させることにより前記モータ８を固定する。
【００１８】
又、防振部材の潰し代を設け圧縮させる方向を、前記モータ固定部材２２と前記モータ固定部材２３で圧縮させる前記軸方向２４ではなく、防振部材２０および２１は、モータ本体とモータ固定部材２２の間で潰し代を設けモータ円周方向２５で圧縮させ、モータを固定させても良い。
【００１９】
又、図７のように、モータ固定部材２２とモータ固定部材２３の防振部材２０と防振部材２１の接触面積を少なくするために、モータ固定部材２２とモータ固定部材２２の防振部材接触面に突起部ｃ、ｃ’を設け、防振部材としての接触面を少なくすることにより、極力、振動伝達面を少なくし、更なる防振を図ることができる。また、モータの回転起動時の位置づれについても防止することが出来る。
【００２０】
別の形態として、図８のように、モータ固定部材２２．２３をモータ８の円周方向２５で固定するよう、防振部材４０をモータ本体円周上に配設し、固定させても良い。
【００２１】
図３、図４は、図２におけるモータ軸９とファン１０の連結部に係わる
形態に係る拡大図であり、防振部材の潰し代を一定に保ち、ファンをモータの軸に固定する構成図である。
【００２２】
図３に示すように、ファン固定部材１８は固定部材２７と固定部材３０とからなり、まず固定部材２７固定部材を用いて、モータ軸９に設けた座面１２と固定部材２７との間で、防振部材１１と防振部材１６が軸芯間方向２９の方向で一定の潰し代で潰れていくよう調整しファン１０を仮固定する。
更に、前記固定部材２７の上からファン固定部材３０を用いて前記ファン１０を完全に固定する。これにより、固定部材２７で防振部材１１・１６の潰し代を前記座面２８と固定部材２７との間の距離で管理でき、前記ファン固定部材２９で固定することが出来る。
固定部材２７の調整は、評価等で決めた防振部材１１・１６の潰し代を固定部材２７の締め付けトルクに換算する。
仮固定後、固定部材２７を押えながら、前記ファン固定部材３０で上から完全に締め付ける。固定部材２８を配設することで、固定部材２７・３０のゆるみ止め効果が生じ、又、一定の潰し代で固定出来る。
【００２３】
又、潰し代を一定に保つ別の例として、図４で示すように、モータ軸９に座面３１と座面３２を設けている。
これにより、座面３１と固定部材２８との間で、防振部材１１と防振部材１６が軸芯間方向３３の方向で潰れ、ファン固定部材３０を用いファン１０を固定するが、前記固定部材２８は、座面３２によりモータ本体方向３４の方向には行けず、防振部材１１と前記防振部材１６の潰し代は、座面３１と座面３２との距離によって管理することが出来る。
又、前記座面３１・３２の面積が少なければ、座金等の台座を設けてやっても良い。
又、固定部材２８がナットの場合、前記座面３２と前記固定部材２８の間にバネ座金を用いナットのゆるみを無くし固定しても良い。又、ナットのネジ部にネジゆるみ材（メック加工等）を加工し、ゆるみを無くし固定しても良い。
【００２４】
また、図５で示すように、モータ８の本体にはモータ取付けフランジ部３５が設けられ、モータ取付けフランジ部３５は、第１のモータ固定部材３６がネジ２６によって締結固定されている。
防振部材３７はモータ固定部材３６に接着されており、更に、第２のモータ固定材部３８も、モータ固定部材３６に接しないよう防振部材３７に接着されている。
モータ８は、ネジ２６にてモータ取付けフランジ部３５とモータ固定部３８を固定されている。
これにより、モータ８とモータ固定部材３６は、ネジ２６で固定しても防振部材３７は間接的に固定されることになり、防振効果を得ることができる。
モータ固定部材３６は、本体Ａの一部で構成されても良い。これにより、モータ固定部材と本体を一体にすることにより、浴室乾燥機の部材を削減することが出来る。
【００２５】
図１から図５で使用する防振部材１１・１４・１６・２０・２１・３７は、容易に製造でき、且つ、防振効果を発揮させるゴム性のものであっても良い。
【００２６】
又、図１で示すように、振動及び伝達ないし共鳴する大きさが最小限となるように、評価によって、防振部材は、ファンとモータのモータ軸に介在させて良いし、モータとモータ取付け部材の間に介在させても良い。また、どちらとも併せ持った構造にしても良い。
【００２７】
図６は、本発明の一実施形態に係るファンモータユニット取付構造である。
図６に示すように、浴室乾燥機は天井面に対してモータ軸芯を水平方向とすることもでき、上記と同様な効果を得ることができる。
【図面の簡単な説明】
【図１】本発明の一実施形態に係る浴室乾燥機の全体構成図である。
【図２】本発明の一実施形態に係るファンモータユニットの構成図である。
【図３】本発明の一実施形態に係るファン取付け構成図である。
【図４】本発明の一実施形態に係る別のファン取付け構成図である。
【図５】本発明の一実施形態に係る別のモータ取付け構成図である。
【図６】本発明の一実施形態に係るファンモータユニット取付け構造図である。
【図７】本発明のモータとモータ固定部材との接触面を示す図である。
【図８】本発明の一実施形態に係る防振部材をモータ円周に配設させた図である。
【符号の説明】
Ａ…本体
Ｂ…ファンモータユニット
ａ、ａ’…凹部
ｂ、ｂ’…凸部
ｃ、ｃ’…突起部
１…吸込口
２…吹出口
３…排気口
４…取付け用フランジ部
５…ダンパー
６…ヒータ
７…化粧カバー
８…モータ
９…モータ軸
１０…ファン
１１、１４、１６、２０、２１、３７、４０…防振部材
１２、２８、３１、３２…座面
１３…モータ軸挿入口部
１５…モータ軸挿入口部の内周面
１７…モータ軸出口部
１８…ファン固定部材
２２、３６…第１のモータ固定部材
２３、３８…第２のモータ固定部材
２４…軸方向
２５…モータ円周方向
２６…ネジ
２７、３０…六角ナット
２９、３３…軸芯間方向
２８…ファン固定部材
３４…モータ本体方向
３５…モータ取付けフランジ部
３９…天井面
【図１】
2004073330.tif 000003
【図２】
2004073330.tif 000004
【図３】
2004073330.tif 000005
【図４】
2004073330.tif 000006
【図５】
2004073330.tif 000007
【図６】
2004073330.tif 000008
【図７】
2004073330.tif 000009
【図８】
2004073330.tif 000010